(57)【要約】【課題】複数段の棚板上に載置された商品を見やすくする商品陳列棚を簡素な構成で製造でき、地震等が発生しても前方側に倒れ難い商品陳列棚を提供すること。【解決手段】床面に設置される略箱体状の基台２の左右両側部２ａから立設した側板３間に、商品を載置する複数段の棚板５を架設した商品陳列棚１であって、両側板３の前後幅αを基台５の前後幅βより幅狭に形成し、側板３を、その前後方向の中央部γが少なくとも基台５の中央部γよりも後方側に位置するように立設させるとともに、側板３を後方側に傾斜させることで、商品陳列棚１の重心位置を、基台５の中央部γよりも後方側に配置させ、側板３の上方後端部には、基台５の後面と面一になるように垂直に切り欠かれた垂直切欠部３ａを形成するとともに、垂直切欠部３ａとほぼ面一になる後面を有する連結板４によって両側板３を連結する。【選択図】図４
2008043539.tif 000002
【特許請求の範囲】
【請求項１】
床面に設置される略箱体状の基台の左右両側部から立設した側板間に、商品を載置する複数段の棚板を架設した商品陳列棚であって、
前記両側板の前後幅を前記基台の前後幅より幅狭に形成し、該側板を、その前後方向の中央部が少なくとも前記基台の中央部よりも後方側に位置するように立設させるとともに、該側板を後方側に傾斜させることで、前記商品陳列棚の重心位置を、前記基台の中央部よりも後方側に配置させ、前記側板の上方後端部には、前記基台の後面と面一になるように垂直に切り欠かれた垂直切欠部を形成するとともに、該垂直切欠部とほぼ面一になる後面を有する連結板によって前記両側板を連結することを特徴とする商品陳列棚。
【請求項２】
前記基台の左右それぞれの側部と前記側板とが同一の板部材によって一体的に形成される請求項１に記載の商品陳列棚。
【請求項３】
前記連結板の上端が、前記両側板の上端より上方に突出されている請求項１または２に記載の商品陳列棚。
【請求項４】
前記基台の前端から前記側板の前端までの距離と、前記基台の後端から前記側板の後端までの距離と、が同一距離をなす請求項１ないし３のいずれかに記載の商品陳列棚。
【発明の詳細な説明】
【技術分野】
【０００１】
本発明は、左右の側板間に棚板を架設した棚板上に商品を載置可能とした商品陳列棚に関する。
【背景技術】
【０００２】
従来、商品の販売店舗等に設置される商品の展示台（商品陳列棚）では、載置板（棚板）上に載置された商品を見やすくするために、容体（側板）にスライドレールを介して載置板を設け、この載置板を手前斜め下方に引き出し可能な状態にしている（例えば、特許文献１参照）。
【０００３】
【特許文献１】特開２００１−３４０１８３号（第２頁、第２図）
【発明の開示】
【発明が解決しようとする課題】
【０００４】
しかしながら、特許文献１に記載の商品の展示台（商品陳列棚）にあっては、スライドレール等の部材を容体（側板）設けているため、展示台の構造が複雑になっているばかりか、載置板（棚板）を容体から手前斜め下方に引き出した状態では、展示台の重心が前方側に移動して前方側に傾きやすくなる。また、天板が前方に張り出しているため、常に、展示台の重心が基台の中央部よりも前方側に存在しており、地震等が発生した際に、展示台が手前に転倒してしまうという問題がある。
【０００５】
本発明は、このような問題点に着目してなされたもので、複数段の棚板上に載置された商品を見やすくする商品陳列棚を簡素な構成で製造でき、地震等が発生しても前方側に倒れ難い商品陳列棚を提供することを目的とする。
【課題を解決するための手段】
【０００６】
前記課題を解決するために、本発明の請求項１に記載の商品陳列棚は、
床面に設置される略箱体状の基台の左右両側部から立設した側板間に、商品を載置する複数段の棚板を架設した商品陳列棚であって、
前記両側板の前後幅を前記基台の前後幅より幅狭に形成し、該側板を、その前後方向の中央部が少なくとも前記基台の中央部よりも後方側に位置するように立設させるとともに、該側板を後方側に傾斜させることで、前記商品陳列棚の重心位置を、前記基台の中央部よりも後方側に配置させ、前記側板の上方後端部には、前記基台の後面と面一になるように垂直に切り欠かれた垂直切欠部を形成するとともに、該垂直切欠部とほぼ面一になる後面を有する連結板によって前記両側板を連結することを特徴としている。
この特徴によれば、基台に立設された側板を後方側に傾斜させることで、上段から下段までの棚板に載置された商品が見やすくなるとともに、商品陳列棚は、その重心位置が基台の前後方向の中央部よりも後方側に配置され、商品陳列棚全体が後方側に傾き易くなっており、壁等際に商品陳列棚を設置させた状態では、地震等が発生した場合であっても、商品陳列棚は後方側に積極的に傾くことで、壁面等に当接される垂直切欠部や連結板の後面が商品陳列棚を支えるようになる。尚、同一構成の２つの商品陳列棚を互いの連結板の後面同士及び垂直切欠部同士が当接するように配置することで、商品陳列棚を壁際に配置しなくても安定的に設置することができる。
【０００７】
本発明の請求項２に記載の商品陳列棚は、請求項１に記載の商品陳列棚であって、
前記基台の左右それぞれの側部と前記側板とが同一の板部材によって一体的に形成されることを特徴としている。
この特徴によれば、商品陳列棚を構成する部品点数を低減でき、かつ組立作業が容易になり製造コストを低減できる。尚、左右の両側板が基台の側部とほぼ面一となるので、同一構成の２つの商品陳列棚を互いの側板及び基台の側部が当接するように配置できるようになり、複数台の商品陳列棚を左右方向に並べて設置させ易くなる。
【０００８】
本発明の請求項３に記載の商品陳列棚は、請求項１または２に記載の商品陳列棚であって、
前記連結板の上端が、前記両側板の上端より上方に突出されていることを特徴としている。
この特徴によれば、後方側に傾けられた側板から上方に突出された連結板の荷重によって、商品陳列棚全体が後方側に傾き易くなる。更に、連結板を左右の側板同士を連結する連結部材としてだけでなく、商品名等の表示板としても使用できる。
【０００９】
本発明の請求項４に記載の商品陳列棚は、請求項１ないし３のいずれかに記載の商品陳列棚であって、
前記基台の前端から前記側板の前端までの距離と、前記基台の後端から前記側板の後端までの距離と、が同一距離をなすことを特徴としている。
この特徴によれば、後方側に傾斜された側板自体の重心位置を、基台自体の重心位置に対して後方位置に保ちながら高さのある側板を形成できる。
【発明を実施するための最良の形態】
【００１０】
本発明に係る商品陳列棚を実施するための最良の形態を実施例に基づいて以下に説明する。
【実施例】
【００１１】
本発明の実施例を図面に基づいて説明すると、先ず図１は、複数の商品陳列棚を連接させた状態を示す斜視図であり、図２は、複数の商品陳列棚を示す正面図であり、図３は、複数の商品陳列棚を示す平面図であり、図４は、図２における商品陳列棚を示すＡ−Ａ矢視図である。
【００１２】
図１の符号１は、スーパーやコンビニエンス・ストアー等の商品販売店舗等に設置される本発明の適用された商品陳列棚である。図１に示すように、本実施例では、複数の商品陳列棚１を互いに連接させて、それぞれの商品陳列棚１の後面同士、及び側面同士を当接させた状態で配置している（図３参照）。
【００１３】
尚、複数台配置された商品陳列棚１，１’は同一構成なので、前方側に配置される１つの商品陳列棚１を例に説明する。以下、図１及び図２の紙面手前側を商品陳列棚１の正面側（前方側）とし、図３の紙面下方側を商品陳列棚１の正面側（前方側）とし、図４の紙面左方側を商品陳列棚１の正面側（前方側）として説明する。
【００１４】
図１に示すように、この商品陳列棚１は、床面に設置される略箱体状をなす基台部２と、基台部２の左右両側部２ａから立設された側板部３と、左右の側板部３の上端同士を連結させる連結板４と、左右の側板部３間に架設された棚板５とを有している。尚、この商品陳列棚１は、木製の板部材によって形成されており、特に、箱体状をなす基台部２の左右側面を構成する側部２ａと、基台部２から立設された側板部３とは、１枚の板部材によって一体的に形成されている。
【００１５】
基台部２の底面の四隅には、キャスタ６が設けられており、それぞれの商品陳列棚１を自在に移動させることができる。また、基台部２の上面には、商品を陳列できる載置面２ｂが形成されており、載置面２ｂの前端縁には、商品の値札等を取り付けられるプライスレール７が設けられている。更に、基台部２の前面には、前方側に引き出せるスライド板８が設けられており、このスライド板８上にも商品を陳列することができる。
【００１６】
図４に示すように、基台部２の側部２ａから上方に延設された側板部３の前後方向の幅αは、下方から上方まで同じ幅に形成されているとともに、側板部３の中央部には、開口部９が形成されている。また、側板部３の前後方向の幅αは、基台部２の前後方向の幅βよりも幅狭に形成されている（α＜β）。
【００１７】
更に、本実施例では側板部３の根元において、側板部３の前後方向の中心線（中央部）が、基台部２の前後方向の中心線（中央部）と同じ位置に配置されており（図４の線γ参照）、基台部２の前端から側板部３の前端までの距離Ｌ１と、基台部２の後端から側板部３の後端までの距離Ｌ２と、が同一距離をなしている（Ｌ１＝Ｌ２）。
【００１８】
側板部３は、下方から上方にゆくに従って後方側に傾くように傾斜されており、商品陳列棚１の重心位置が、基台部２の中心線γ（中央部）よりも後方側に配置されている。尚、基台部２に設けられたスライド板８を前方に引き出した状態であっても、商品陳列棚１の重心位置は、基台部２の中心線γ（中央部）よりも後方側に配置されている。
【００１９】
側板部３の上方後端部には、基台部２の後面と面一になるように垂直に切り欠かれた垂直切欠部３ａが形成されている（図４の線δ参照）。また、側板部３の前端及び後端には、前後一対をなす棚受用ダボ１０が設けられているとともに、側板部３に設けられた棚受用ダボ１０の前後方向の離間距離が同一距離となっている。
【００２０】
側板部３には、棚受用ダボ１０を介して棚板５が架設されており、１台の商品陳列棚１には、４枚（複数）の棚板５が着脱自在に架設されている。また、それぞれの棚板５の前後方向の幅が同一に形成されており、上段から下段まで同一形状及び同一の大きさの棚板５を使用できる。これら棚板５上に商品を陳列できるようになっており、棚板５の前端縁には、商品の値札等を取り付けられるプライスレール７が設けられている。
【００２１】
尚、図４に示す商品陳列棚１における最上段に配置される棚板５のように、側板部３における前方側と後方側の棚受用ダボ１０を段違いになるように棚板５を架設させると、棚板５が傾斜された状態で配置することができる。
【００２２】
図２に示すように、側板部３の上部における内面側には、左右の側板部３同士をそれぞれ連結する連結板４が設けられている。この連結板４は、側板部３の上方後端部近傍に設けられたボルト１１によって側板部３と接合されている（図４参照）。尚、連結板４の上端が左右の両側板部３の上端より上方に突出されるように、上方に向かって立設されており、連結板４の後面が垂直切欠部３ａと面一になっている（図４の線δ参照）。更に、連結板４の前面には、商品名等を表示する表示部１２が設けられている。
【００２３】
図３に示すように、複数の商品陳列棚１は、その後面同士、すなわち互いの基台部２の後面同士、連結板４の後面同士、垂直切欠部３ａ同士が当接するように設置することができる。尚、図３における紙面左右位置に配置される商品陳列棚１’は、その連結板４の後面が、近接された商品陳列棚１の側板部３に当接されるようになっている。
【００２４】
以上、本実施例における商品陳列棚１では、基台部２に立設された側板部３を後方側に傾斜させることで、上段から下段までの棚板５に載置された商品が見やすくなるとともに、商品陳列棚１は、その重心位置が基台部２の前後方向の中心線γ（中央部）よりも後方側に配置され、商品陳列棚１全体が後方側に傾き易くなっている。２台の商品陳列棚１，１を互いの連結板４の後面同士及び垂直切欠部３ａ同士が当接するように設置した状態では、地震等が発生した場合であっても、両商品陳列棚１，１は、互いにそれぞれの後方側に積極的に傾くことで、互いに当接される垂直切欠部３ａや連結板４の後面が両商品陳列棚１，１を支えるようになる。
【００２５】
また、基台部２の左右それぞれの側部２ａと側板部３とが同一の板部材によって一体的に形成されることで、商品陳列棚１を構成する部品点数を低減でき、かつ商品陳列棚１の組立作業が容易になり製造コストを低減できる。尚、左右の両側板部３が基台部２の側部２ａと面一となるので、同一構成の２台の商品陳列棚１，１を互いの側板部３及び基台部２の側部２ａが当接するように配置できるようになり、複数台の商品陳列棚１，１を左右方向に並べて設置させ易くなる。
【００２６】
また、連結板４の上端が、両側板部３の上端より上方に突出されていることで、後方側に傾けられた側板部３から上方に突出された連結板４の荷重によって、商品陳列棚１全体が後方側に傾き易くなる。更に、連結板４を左右の側板部３同士を連結する連結部材としてだけでなく、連結板４の前面に表示部１２を形成して商品名等を表示する表示板としても使用できる。
【００２７】
また、基台部２の前端から側板部３の前端までの距離Ｌ１と、基台部２の後端から側板部３の後端までの距離Ｌ２と、が同一距離をなしていることで、側板部３の前後方向の幅αを下方から上方まで同じ幅に保ちつつ、かつ後方側に傾斜された側板部３自体の重心位置を、基台部２自体の重心位置に対して後方位置に保ちながら高さのある側板部３を形成できる。
【００２８】
尚、側板部３には、開口部９が形成されていることで、側板部３の軽量化が可能になるばかりか、客が棚板５に載置された商品を商品陳列棚１の側方からも視認できるようになる。更に、作業者が開口部９内に手を入れた状態で側板部３を掴んで商品陳列棚１を移動させることができるため、移動作業が行いやすくなる。
【００２９】
尚、各々の商品陳列棚１の基台部２が箱体状に形成されることで、基台部２の荷重によって商品陳列棚１の上下方向の重心位置を低くすることができ、商品陳列棚１を安定的に設置できる。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、前記実施例では、複数台の商品陳列棚１，１同士を、その後面同士が当接するように連接して設置していたが、複数台の商品陳列棚１，１を連接するばかりではなく、商品陳列棚１を１台で使用する場合などには、商品陳列棚１の後面が壁面等に当接されるようにして設置しても安定的に設置することができる。
【００３２】
また、前記実施例では、側板部３の根元において、側板部３の前後方向の中心線α（中央部）が、基台部２の前後方向の中心線β（中央部）とが同じ位置に配置されているが、本発明はこれに限定されるものではなく、側板部３の前後方向の中心線α（中央部）が、少なくとも基台部２の前後方向の中心線β（中央部）よりも後方側に位置すれば、前記実施例と同様な効果を得ることができる。
【００３３】
更に、前記実施例では、連結板４の後面と垂直切欠部３ａとが面一になっていたが、連結板４の後面は、垂直切欠部３ａと全く同一平面（面一）に存在するように形成する必要はなく、連結板４の後面が垂直切欠部３ａよりも若干前方側にずれた配置であってもよい。例えば、図３のように商品陳列棚１，１’同士を連接したときなど、商品陳列棚１’の垂直切欠部３ａがどこにも当接できないような配置の場合に、商品陳列棚１’が後方に傾いたときに連接する商品陳列棚１の側板部３に当接できるような構成であればよい。
【図面の簡単な説明】
【００３４】
【図１】複数の商品陳列棚を連接させた状態を示す斜視図である。
【図２】複数の商品陳列棚を示す正面図である。
【図３】複数の商品陳列棚を示す平面図である。
【図４】図２における商品陳列棚を示すＡ−Ａ矢視図である。
【符号の説明】
【００３５】
１，１’          商品陳列棚
２                基台部
２ａ              側部
２ｂ              載置面
３                側板部
３ａ              垂直切欠部
４                連結板
５                棚板
６                キャスタ
７                プライスレール
８                スライド板
９                開口部
１０              棚受用ダボ
１１              ボルト
１２              表示部
【図１】
2008043539.tif 000003
【図２】
2008043539.tif 000004
【図３】
2008043539.tif 000005
【図４】
2008043539.tif 000006